【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
ワイヤレスネットワークにおいてパケットデータネットワーク（ＰＤＮ）接続性を利用するための方法であって、
アクセスポイント名（ＡＰＮ）を指定する、アクセスポイントとのＰＤＮ接続を確立したいという要求をデバイスから受信することと、
前記ＡＰＮがローカルゲートウェイへのＰＤＮ接続性に関係すると判断することと、
前記ＡＰＮが前記ローカルゲートウェイへのＰＤＮ接続性に関係すると判断したことに基づいて、前記デバイスが前記アクセスポイントにおいて前記ＰＤＮ接続を確立することを可能にされないと判断することと、
前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送ることと、
を備える方法。
【請求項２】
前記１つまたは複数のアクセスポイントが、同じ限定加入者グループに対応する、請求項１に記載の方法。
【請求項３】
前記１つまたは複数のアクセスポイントが、同じパブリックランドモバイルネットワークに対応する、請求項１に記載の方法。
【請求項４】
ワイヤレスネットワークにおいてパケットデータネットワーク（ＰＤＮ）接続性を利用するための装置であって、
アクセスポイント名（ＡＰＮ）を指定する、アクセスポイントとのＰＤＮ接続を確立したいという要求をデバイスから受信することと、
前記ＡＰＮがローカルゲートウェイへのＰＤＮ接続性に関係すると判断することと、
前記ＡＰＮが前記ローカルゲートウェイへのＰＤＮ接続性に関係すると判断したことに少なくとも部分的に基づいて、前記デバイスが前記アクセスポイントにおいて前記ＰＤＮ接続を確立することを可能にされないと判断することと、
前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送ることと
を行うように構成された少なくとも１つのプロセッサと、
前記少なくとも１つのプロセッサに結合されたメモリと
を備える装置。
【請求項５】
前記１つまたは複数のアクセスポイントが、同じ限定加入者グループまたは同じパブリックランドモバイルネットワークに対応する、請求項４に記載の装置。
【請求項６】
ワイヤレスネットワークにおいてパケットデータネットワーク（ＰＤＮ）接続性を利用するための装置であって、
アクセスポイント名（ＡＰＮ）を指定する、アクセスポイントとのＰＤＮ接続を確立したいという要求をデバイスから受信するための手段と、
前記ＡＰＮがローカルゲートウェイへのＰＤＮ接続性に関係すると判断するための手段と、
前記ＡＰＮがローカルゲートウェイへのＰＤＮ接続性に関係すると判断したことに少なくとも部分的に基づいて、前記デバイスが前記アクセスポイントにおいて前記ローカルゲートウェイへの前記ＰＤＮ接続を確立することを可能にされないと判断するための手段と、
前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送るための手段と
を備える装置。
【請求項７】
前記１つまたは複数のアクセスポイントが、同じ限定加入者グループまたは同じパブリックランドモバイルネットワークに対応する、請求項６に記載の装置。
【請求項８】
ワイヤレスネットワークにおいてパケットデータネットワーク（ＰＤＮ）接続性を利用するためのコンピュータプログラムであって、
少なくとも１つのコンピュータに、アクセスポイント名（ＡＰＮ）を指定する、アクセスポイントとのＰＤＮ接続を確立したいという要求をデバイスから受信させるためのコードと、
前記少なくとも１つのコンピュータに、前記ＡＰＮがローカルゲートウェイへのＰＤＮ接続性に関係すると判断させるためのコードと、
前記少なくとも１つのコンピュータに、前記ＡＰＮが前記ローカルゲートウェイへのＰＤＮ接続性に関係すると判断したことに少なくとも部分的に基づいて、前記デバイスが前記アクセスポイントにおいて前記ＰＤＮ接続を確立することを可能にされないと判断させるためのコードと、
前記少なくとも１つのコンピュータに、前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送らせるためのコードと
を備えるコンピュータプログラム。
【請求項９】
前記１つまたは複数のアクセスポイントが、同じ限定加入者グループまたは同じパブリックランドモバイルネットワークに対応する、請求項８に記載のコンピュータプログラム。
【請求項１０】
ワイヤレスネットワークにおいてパケットデータネットワーク（ＰＤＮ）接続性を利用するための装置であって、
アクセスポイント名（ＡＰＮ）を指定する、アクセスポイントとのＰＤＮ接続を確立したいという要求をデバイスから受信するためのＰＤＮ接続要求受信構成要素と、
前記ＡＰＮがローカルゲートウェイへのＰＤＮ接続性に関係すると判断したことに少なくとも部分的に基づいて、前記デバイスが前記アクセスポイントにおいて前記ローカルゲートウェイへの前記ＰＤＮ接続を確立することを可能にされないと判断するためのＰＤＮ接続性判断構成要素と、
前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送るためのＰＤＮ接続性指示構成要素と
を備える装置。
【請求項１１】
前記１つまたは複数のアクセスポイントが、同じ限定加入者グループまたは同じパブリックランドモバイルネットワークに対応する、請求項１０に記載の装置。
【請求項１２】
パケットデータネットワーク（ＰＤＮ）接続を確立するための方法であって、
アクセスポイントと通信している間、ローカルゲートウェイへのＰＤＮ接続を確立することを判断することと、
前記アクセスポイントにおける前記ローカルゲートウェイへのＰＤＮ接続性に対応するアクセスポイント名（ＡＰＮ）を選択することと、
前記ＡＰＮを指定する、前記アクセスポイントへの前記ＰＤＮ接続を確立したいという要求を送信することと
を備える方法。
【請求項１３】
前記ＡＰＮを前記選択することは、前記ＡＰＮが前記ローカルゲートウェイへのＰＤＮ接続性に対応することを指定する、サブスクリプション情報中の１つまたは複数のパラメータにさらに少なくとも部分的に基づく、請求項１２に記載の方法。
【請求項１４】
前記ＡＰＮを前記選択することは、前記ＡＰＮが限定加入者グループ（ＣＳＧ）についての前記ローカルゲートウェイへのＰＤＮ接続性に対応することを指定する、ＣＳＧサブスクリプション情報中の１つまたは複数のパラメータにさらに少なくとも部分的に基づく、請求項１２に記載の方法。
【請求項１５】
前記ＡＰＮを前記選択することは、前記ＣＳＧが前記アクセスポイントに関連すると判断したことにさらに少なくとも部分的に基づく、請求項１４に記載の方法。
【請求項１６】
パケットデータネットワーク（ＰＤＮ）接続を確立するための装置であって、
アクセスポイントと通信している間、ローカルゲートウェイへのＰＤＮ接続を確立することを判断することと、
前記アクセスポイントにおける前記ローカルゲートウェイへのＰＤＮ接続性に対応するアクセスポイント名（ＡＰＮ）を選択することと、
前記ＡＰＮを指定する、前記アクセスポイントへの前記ＰＤＮ接続を確立したいという要求を送信することと
を行うように構成された少なくとも１つのプロセッサと、
前記少なくとも１つのプロセッサに結合されたメモリと
を備える装置。
【請求項１７】
前記少なくとも１つのプロセッサは、前記ＡＰＮが前記ローカルゲートウェイへのＰＤＮ接続性に対応することを指定する、サブスクリプション情報中の１つまたは複数のパラメータにさらに少なくとも部分的に基づいて前記ＡＰＮを選択する、請求項１６に記載の装置。
【請求項１８】
前記少なくとも１つのプロセッサは、前記ＡＰＮが限定加入者グループ（ＣＳＧ）についての前記ローカルゲートウェイへのＰＤＮ接続性に対応することを指定する、ＣＳＧサブスクリプション情報中の１つまたは複数のパラメータにさらに少なくとも部分的に基づいて前記ＡＰＮを選択する、請求項１６に記載の装置。
【請求項１９】
パケットデータネットワーク（ＰＤＮ）接続を確立するための装置であって、
アクセスポイントと通信している間、ローカルゲートウェイへのＰＤＮ接続を確立することを判断するための手段と、
前記アクセスポイントにおける前記ローカルゲートウェイへのＰＤＮ接続性に対応するアクセスポイント名（ＡＰＮ）を指定する、前記アクセスポイントへの前記ＰＤＮ接続を確立したいという要求を送信するための手段と
を備える装置。
【請求項２０】
前記ＡＰＮが前記ローカルゲートウェイへのＰＤＮ接続性に対応することを指定する１つまたは複数のパラメータをサブスクリプション情報中で取得するための手段をさらに備え、送信するための前記手段が、前記１つまたは複数のパラメータに少なくとも部分的に基づいて前記ＡＰＮを選択する、請求項１９に記載の装置。
【請求項２１】
前記ＡＰＮが、限定加入者グループ（ＣＳＧ）についての前記ローカルゲートウェイへのＰＤＮ接続性に対応することを指定する１つまたは複数のパラメータをＣＳＧサブスクリプション情報中で取得するための手段をさらに備え、送信するための前記手段が、１つまたは複数のパラメータに少なくとも部分的に基づいて前記ＡＰＮを選択する、請求項１９に記載の装置。
【請求項２２】
パケットデータネットワーク（ＰＤＮ）接続を確立するためのコンピュータプログラムであって、
少なくとも１つのコンピュータに、アクセスポイントと通信している間、ローカルゲートウェイへのＰＤＮ接続を確立することを判断させるためのコードと、
前記少なくとも１つのコンピュータに、前記アクセスポイントにおける前記ローカルゲートウェイへのＰＤＮ接続性に対応するアクセスポイント名（ＡＰＮ）を選択させるためのコードと、
前記少なくとも１つのコンピュータに、前記ＡＰＮを指定する、前記アクセスポイントへの前記ＰＤＮ接続を確立したいという要求を送信させるためのコードと
を備えるコンピュータプログラム。
【請求項２３】
前記少なくとも１つのコンピュータに選択させるための前記コードは、前記ＡＰＮが前記ローカルゲートウェイへのＰＤＮ接続性に対応することを指定する、サブスクリプション情報中の１つまたは複数のパラメータにさらに少なくとも部分的に基づいて前記ＡＰＮを選択する、請求項２２に記載のコンピュータプログラム。
【請求項２４】
前記少なくとも１つのコンピュータに選択させるための前記コードは、前記ＡＰＮが限定加入者グループ（ＣＳＧ）についての前記ローカルゲートウェイへのＰＤＮ接続性に対応することを指定する、ＣＳＧサブスクリプション情報中の１つまたは複数のパラメータにさらに少なくとも部分的に基づいて前記ＡＰＮを選択する、請求項２２に記載のコンピュータプログラム。
【請求項２５】
パケットデータネットワーク（ＰＤＮ）接続を確立するための装置であって、
アクセスポイントと通信している間、ローカルゲートウェイへのＰＤＮ接続を確立することを判断するためのＰＤＮ要求判断構成要素と、
前記アクセスポイントにおける前記ローカルゲートウェイへのＰＤＮ接続性に対応するアクセスポイント名（ＡＰＮ）を指定する、前記アクセスポイントへの前記ＰＤＮ接続を確立したいという要求を送信するためのＰＤＮ接続要求構成要素と
を備える装置。
【請求項２６】
前記ＡＰＮが前記ローカルゲートウェイへのＰＤＮ接続性に対応することを指定する１つまたは複数のパラメータをサブスクリプション情報中で取得するためのパラメータ受信構成要素をさらに備え、前記ＰＤＮ接続要求構成要素が、前記１つまたは複数のパラメータに少なくとも部分的に基づいて前記ＡＰＮを選択する、請求項２５に記載の装置。
【請求項２７】
前記ＡＰＮが、限定加入者グループ（ＣＳＧ）についての前記ローカルゲートウェイへのＰＤＮ接続性に対応することを指定する１つまたは複数のパラメータをＣＳＧサブスクリプション情報中で取得するためのパラメータ受信構成要素をさらに備え、前記ＰＤＮ接続要求構成要素が、前記１つまたは複数のパラメータに少なくとも部分的に基づいてＡＰＮを選択する、請求項２５に記載の装置。
【請求項２８】
前記ＰＤＮ接続要求構成要素は、前記ＣＳＧが前記アクセスポイントに関連すると判断したことにさらに少なくとも部分的に基づいて前記ＡＰＮを選択する、請求項２７に記載の装置。